【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
映像データを符号化処理する符号化装置において、
上記映像データから、上記映像データの絵柄の難度及び上記映像データの符号化処理後のデータ量と相関性を有する統計量をピクチャ毎に算出する統計量算出手段と、
上記統計量算出手段により算出された上記統計量を用いて上記映像データの実難度データをピクチャ毎に近似した近似難度データをピクチャ毎に算出する近似難度データ算出手段と、
上記映像データを所定ピクチャ分遅延させる遅延手段と、
上記近似難度データ算出手段により算出された上記近似難度データと上記遅延手段により遅延された上記映像データの複数ピクチャ分の上記近似難度データとを利用して、上記遅延手段より遅延された上記映像データを符号化処理する際に割り当てる目標符号量算出手段と、
上記目標符号量算出手段により算出された上記目標符号量となるように、上記遅延手段より遅延された上記映像データをピクチャ毎に符号化処理する符号化手段と
を備える符号化装置。
【請求項２】
ｊ，Ｌを正の整数、符号化対象ピクチャを前記映像データの第（ｊ）番目のピクチャとした場合に、
上記遅延手段は、上記映像データをＬピクチャ分遅延させ、
上記目標符号量算出手段は、第（ｊ）番目のピクチャの上記近似難度データと第（ｊ）番目のピクチャ〜第（ｊ＋Ｌ−１）番目のピクチャの上記近似難度データの総和との比率を利用して、上記符号化対象ピクチャの上記目標符号量を算出する
請求項１に記載の符号化装置。
【請求項３】
上記目標符号量算出手段は、次式（１）〜（３）を利用して、上記符号化対象ピクチャの上記目標符号量を算出する
請求項２に記載の符号化装置。
【数１】
2006136010.tif 000001
Ｔj：第ｊ番目のピクチャーを圧縮符号化して得られる圧縮映像データに割り当てる目標データ量
Ｒ´j：映像データの第ｊ番目〜第（ｊ＋Ｌ−１）番目のピクチャーに割り当てることができる目標データ量の平均
Ｄj：第ｊ番目のピクチャーの圧縮符号化後の実難度データ
【数２】
2006136010.tif 000002
Ｂｉｔ＿ｒａｔｅ：１秒あたりのデータ量
Ｐｉｃｔｕｒｅ＿ｒａｔｅ：映像データに含まれる１秒当たりのピクチャーの数
【数３】
2006136010.tif 000003
Ｓj：遅延映像データを圧縮符号化して得られた圧縮映像データの実際のデータ量
Ｆj+L：ピクチャー当たりの平均データ量
【請求項４】
Ｂ，ｊ，Ｌを正の整数、符号化対象ピクチャを前記映像データの第（ｊ）番目のピクチャとした場合に、
上記遅延手段は、上記映像データをＬピクチャ分遅延させ、
上記目標符号量算出手段は、第（ｊ）番目のピクチャの上記近似難度データと第（ｊ）番目のピクチャ〜第（ｊ＋Ｌ＋Ｂ−１）番目のピクチャの上記近似難度データの総和との比率を利用して、上記符号化対象ピクチャの上記目標符号量を算出する
請求項１に記載の符号化装置。
【請求項５】
上記目標符号量算出手段は、次式（２）〜（４）を利用して、上記符号化対象ピクチャの上記目標符号量を算出する
請求項４に記載の符号化装置。
【数２】
2006136010.tif 000004
Ｂｉｔ＿ｒａｔｅ：１秒あたりのデータ量
Ｐｉｃｔｕｒｅ＿ｒａｔｅ：映像データに含まれる１秒当たりのピクチャーの数
【数３】
2006136010.tif 000005
Ｒ´j：映像データの第ｊ番目〜第（ｊ＋Ｌ−１）番目のピクチャーに割り当てることができる目標データ量の平均
Ｓj：遅延映像データを圧縮符号化して得られた圧縮映像データの実際のデータ量
Ｆj+L：ピクチャー当たりの平均データ量
【数４】
2006136010.tif 000006
Ｔj：第ｊ番目のピクチャーを圧縮符号化して得られる圧縮映像データに割り当てる目標データ量
Ｄj：第ｊ番目のピクチャーの圧縮符号化後の実難度データ
Ｄj´：第ｊ番目のピクチャーの圧縮符号化後の予測難度データ
【請求項６】
上記近似難度データ算出手段は、上記統計量算出手段により算出された上記統計量の値を、上記統計量と上記映像データの実難度データとの相関関係から得られる所定の一次関数に代入することによって、上記近似難度データを算出する
請求項１に記載の符号化装置。
【請求項７】
上記統計量算出手段は、上記符号化手段がＩピクチャとして符号化処理する上記映像データのピクチャから、フラットネス又はイントラＡＣを上記統計量として算出する
請求項１に記載の符号化装置。
【請求項８】
上記統計量算出手段は、上記符号化手段がＰピクチャ又はＢピクチャとして符号化処理する上記映像データのピクチャから、ＭＥ残差を前記統計量として算出する
請求項１に記載の符号化装置。
【請求項９】
映像データを符号化処理する符号化方法において、
上記映像データから、上記映像データの絵柄の難度及び上記映像データの符号化処理後のデータ量と相関性を有する統計量をピクチャ毎に算出する統計量算出ステップと、
上記統計量算出ステップにより算出された上記統計量を用いて上記映像データの実難度データをピクチャ毎に近似した近似難度データをピクチャ毎に算出する近似難度データ算出ステップと、
上記映像データを所定ピクチャ分遅延させる遅延ステップと、
上記近似難度データ算出ステップにより算出された上記近似難度データと上記遅延ステップにより遅延された上記映像データの複数ピクチャ分の上記近似難度データとを利用して、上記遅延ステップより遅延された上記映像データを符号化処理する際に割り当てる目標符号量算出する目標符号量算出ステップと、
上記目標符号量算出ステップにより算出された上記目標符号量となるように、上記遅延ステップより遅延された上記映像データをピクチャ毎に符号化処理する符号化ステップと
を含む符号化方法。
【請求項１０】
映像データの符号化処理を制御する符号化制御装置において、
上記映像データから、上記映像データの絵柄の難度及び上記映像データの符号化処理後のデータ量と相関性を有する統計量をピクチャ毎に算出する統計量算出手段と、
上記統計量算出手段により算出された上記統計量を用いて上記映像データの実難度データをピクチャ毎に近似した近似難度データをピクチャ毎に算出する近似難度データ算出手段と、
上記近似難度データ算出手段により算出された上記近似難度データと上記映像データを所定ピクチャ分遅延させる遅延手段により遅延された上記映像データの複数ピクチャ分の上記近似難度データとを利用して、上記遅延手段により遅延された上記映像データを符号化処理する際に割り当てる目標符号量算出手段と、
上記目標符号量算出手段により算出された上記目標符号量となるように、上記遅延手段より遅延された上記映像データをピクチャ毎に符号化する符号化処理を制御する符号化制御手段と
を備える符号化制御装置。
【請求項１１】
ｊ，Ｌを正の整数、符号化対象ピクチャを前記映像データの第（ｊ）番目のピクチャとした場合に、
上記遅延手段は、上記映像データをＬピクチャ分遅延させ、
上記目標符号量算出手段は、第（ｊ）番目のピクチャの上記近似難度データと第（ｊ）番目のピクチャ〜第（ｊ＋Ｌ−１）番目のピクチャの上記近似難度データの総和との比率を利用して、上記符号化対象ピクチャの上記目標符号量を算出する
請求項１０に記載の符号化制御装置。
【請求項１２】
上記目標符号量算出手段は、次式（１）〜（３）を利用して、上記符号化対象ピクチャの上記目標符号量を算出する
請求項１１に記載の符号化制御装置。
【数１】
2006136010.tif 000007
Ｔj：第ｊ番目のピクチャーを圧縮符号化して得られる圧縮映像データに割り当てる目標データ量
Ｒ´j：映像データの第ｊ番目〜第（ｊ＋Ｌ−１）番目のピクチャーに割り当てることができる目標データ量の平均
Ｄj：第ｊ番目のピクチャーの圧縮符号化後の実難度データ
【数２】
2006136010.tif 000008
Ｂｉｔ＿ｒａｔｅ：１秒あたりのデータ量
Ｐｉｃｔｕｒｅ＿ｒａｔｅ：映像データに含まれる１秒当たりのピクチャーの数
【数３】
2006136010.tif 000009
Ｓj：遅延映像データを圧縮符号化して得られた圧縮映像データの実際のデータ量
Ｆj+L：ピクチャー当たりの平均データ量
【請求項１３】
Ｂ，ｊ，Ｌを正の整数、符号化対象ピクチャを前記映像データの第（ｊ）番目のピクチャとした場合に、
上記遅延手段は、上記映像データをＬピクチャ分遅延させ、
上記目標符号量算出手段は、第（ｊ）番目のピクチャの上記近似難度データと第（ｊ）番目のピクチャ〜第（ｊ＋Ｌ＋Ｂ−１）番目のピクチャの上記近似難度データの総和との比率を利用して、上記符号化対象ピクチャの上記目標符号量を算出する
請求項１０に記載の符号化制御装置。
【請求項１４】
上記目標符号量算出手段は、次式（２）〜（４）を利用して、上記符号化対象ピクチャの上記目標符号量を算出する
請求項１３に記載の符号化制御装置。
【数２】
2006136010.tif 000010
Ｂｉｔ＿ｒａｔｅ：１秒あたりのデータ量
Ｐｉｃｔｕｒｅ＿ｒａｔｅ：映像データに含まれる１秒当たりのピクチャーの数
【数３】
2006136010.tif 000011
Ｒ´j：映像データの第ｊ番目〜第（ｊ＋Ｌ−１）番目のピクチャーに割り当てることができる目標データ量の平均
Ｓj：遅延映像データを圧縮符号化して得られた圧縮映像データの実際のデータ量
Ｆj+L：ピクチャー当たりの平均データ量
【数４】
2006136010.tif 000012
Ｔj：第ｊ番目のピクチャーを圧縮符号化して得られる圧縮映像データに割り当てる目標データ量
Ｄj：第ｊ番目のピクチャーの圧縮符号化後の実難度データ
Ｄj´：第ｊ番目のピクチャーの圧縮符号化後の予測難度データ
【請求項１５】
上記近似難度データ算出手段は、上記統計量算出手段により算出された上記統計量の値を、上記統計量と上記映像データの実難度データとの相関関係から得られる所定の一次関数に代入することによって、上記近似難度データを算出する
請求項１０に記載の符号化制御装置。
【請求項１６】
上記統計量算出手段は、上記符号化手段がＩピクチャとして符号化処理する上記映像データのピクチャから、フラットネス又はイントラＡＣを上記統計量として算出する
請求項１０に記載の符号化制御装置。
【請求項１７】
上記統計量算出手段は、上記符号化手段がＰピクチャ又はＢピクチャとして符号化処理する上記映像データのピクチャから、ＭＥ残差を前記統計量として算出する
請求項１０に記載の符号化制御装置。
【請求項１８】
映像データの符号化処理を制御する符号化制御方法において、
上記映像データから、上記映像データの絵柄の難度及び上記映像データの符号化処理後のデータ量と相関性を有する統計量をピクチャ毎に算出する統計量算出ステップと、
上記統計量算出ステップにより算出された上記統計量を用いて上記映像データの実難度データをピクチャ毎に近似した近似難度データをピクチャ毎に算出する近似難度データ算出ステップと、
上記近似難度データ算出ステップにより算出された上記近似難度データと上記映像データを所定ピクチャ分遅延させる遅延手段により遅延された上記映像データの複数ピクチャ分の上記近似難度データとを利用して、上記遅延手段により遅延された上記映像データを符号化処理する際に割り当てる目標符号量算出ステップと、
上記目標符号量算出ステップにより算出された上記目標符号量となるように、上記遅延手段より遅延された上記映像データをピクチャ毎に符号化する符号化処理を制御する符号化制御ステップと
を含む符号化制御方法。
【手続補正２】
【補正対象書類名】明細書
【補正対象項目名】発明の名称
【補正方法】変更
【補正の内容】
【発明の名称】符号化装置、符号化方法、符号化制御装置および符号化制御方法
【手続補正３】
【補正対象書類名】明細書
【補正対象項目名】０００１
【補正方法】変更
【補正の内容】
【０００１】
本発明は、符号化装置、符号化方法、符号化制御装置および符号化制御方法に関する。
【手続補正４】
【補正対象書類名】明細書
【補正対象項目名】０００５
【補正方法】変更
【補正の内容】
【０００５】
本発明は上述した従来技術の問題点に鑑みてなされたものであり、２パスエンコードによらずに、所定のデータ量以下に音声・映像データを圧縮符号化することができる符号化装置、符号化方法、符号化制御装置および符号化制御方法を提供することを目的とする。
また、本発明は、ほぼ実時間的に映像データを圧縮符号化することができ、しかも、伸長復号後に高品質な映像を得ることができる符号化装置、符号化方法、符号化制御装置および符号化制御方法を提供することを目的とする。
また、本発明は、２パスエンコードによらずに、圧縮符号化後のデータ量を見積もって圧縮率を調節し、圧縮符号化処理を行うことができる符号化装置、符号化方法、符号化制御装置および符号化制御方法を提供することを目的とする。
【手続補正５】
【補正対象書類名】明細書
【補正対象項目名】０００６
【補正方法】変更
【補正の内容】
【０００６】
上記目的を達成するために、本発明に係る映像データを符号化処理する符号化装置は、上記映像データから、上記映像データの絵柄の難度及び上記映像データの符号化処理後のデータ量と相関性を有する統計量をピクチャ毎に算出する統計量算出手段と、上記統計量算出手段により算出された上記統計量を用いて上記映像データの実難度データをピクチャ毎に近似した近似難度データをピクチャ毎に算出する近似難度データ算出手段と、上記映像データを所定ピクチャ分遅延させる遅延手段と、上記近似難度データ算出手段により算出された上記近似難度データと上記遅延手段により遅延された上記映像データの複数ピクチャ分の上記近似難度データとを利用して、上記遅延手段より遅延された上記映像データを符号化処理する際に割り当てる目標符号量算出手段と、上記目標符号量算出手段により算出された上記目標符号量となるように、上記遅延手段より遅延された上記映像データをピクチャ毎に符号化処理する符号化手段とを備える。
【手続補正６】
【補正対象書類名】明細書
【補正対象項目名】０００７
【補正方法】変更
【補正の内容】
【０００７】
好適には、ｊ，Ｌを正の整数、符号化対象ピクチャを前記映像データの第（ｊ）番目のピクチャとした場合に、上記遅延手段は、上記映像データをＬピクチャ分遅延させ、上記目標符号量算出手段は、第（ｊ）番目のピクチャの上記近似難度データと第（ｊ）番目のピクチャ〜第（ｊ＋Ｌ−１）番目のピクチャの上記近似難度データの総和との比率を利用して、上記符号化対象ピクチャの上記目標符号量を算出する。
より好適には、上記目標符号量算出手段は、次式（１）〜（３）を利用して、上記符号化対象ピクチャの上記目標符号量を算出する
【数１】
2006136010.tif 000013
Ｔj：第ｊ番目のピクチャーを圧縮符号化して得られる圧縮映像データに割り当てる目標データ量
Ｒ´j：映像データの第ｊ番目〜第（ｊ＋Ｌ−１）番目のピクチャーに割り当てることができる目標データ量の平均
Ｄj：第ｊ番目のピクチャーの圧縮符号化後の実難度データ
【数２】
2006136010.tif 000014
Ｂｉｔ＿ｒａｔｅ：１秒あたりのデータ量
Ｐｉｃｔｕｒｅ＿ｒａｔｅ：映像データに含まれる１秒当たりのピクチャーの数
【数３】
2006136010.tif 000015
Ｓj：遅延映像データを圧縮符号化して得られた圧縮映像データの実際のデータ量
Ｆj+L：ピクチャー当たりの平均データ量
【手続補正７】
【補正対象書類名】明細書
【補正対象項目名】０００８
【補正方法】変更
【補正の内容】
【０００８】
また好適には、Ｂ，ｊ，Ｌを正の整数、符号化対象ピクチャを前記映像データの第（ｊ）番目のピクチャとした場合に、上記遅延手段は、上記映像データをＬピクチャ分遅延させ、上記目標符号量算出手段は、第（ｊ）番目のピクチャの上記近似難度データと第（ｊ）番目のピクチャ〜第（ｊ＋Ｌ＋Ｂ−１）番目のピクチャの上記近似難度データの総和との比率を利用して、上記符号化対象ピクチャの上記目標符号量を算出する。
より好適には、上記目標符号量算出手段は、次式（２）〜（４）を利用して、上記符号化対象ピクチャの上記目標符号量を算出する
【数２】
2006136010.tif 000016
Ｂｉｔ＿ｒａｔｅ：１秒あたりのデータ量
Ｐｉｃｔｕｒｅ＿ｒａｔｅ：映像データに含まれる１秒当たりのピクチャーの数
【数３】
2006136010.tif 000017
Ｒ´j：映像データの第ｊ番目〜第（ｊ＋Ｌ−１）番目のピクチャーに割り当てることができる目標データ量の平均
Ｓj：遅延映像データを圧縮符号化して得られた圧縮映像データの実際のデータ量
Ｆj+L：ピクチャー当たりの平均データ量
【数４】
2006136010.tif 000018
Ｄj´：第ｊ番目のピクチャーの圧縮符号化後の予測難度データ
【手続補正８】
【補正対象書類名】明細書
【補正対象項目名】０００９
【補正方法】変更
【補正の内容】
【０００９】
また好適には、上記近似難度データ算出手段は、上記統計量算出手段により算出された上記統計量の値を、上記統計量と上記映像データの実難度データとの相関関係から得られる所定の一次関数に代入することによって、上記近似難度データを算出する。
より好適には、上記統計量算出手段は、上記符号化手段がＩピクチャとして符号化処理する上記映像データのピクチャから、フラットネス又はイントラＡＣを上記統計量として算出する。
より好適には、上記統計量算出手段は、上記符号化手段がＰピクチャ又はＢピクチャとして符号化処理する上記映像データのピクチャから、ＭＥ残差を前記統計量として算出する。
【手続補正９】
【補正対象書類名】明細書
【補正対象項目名】００１０
【補正方法】変更
【補正の内容】
【００１０】
また本発明に係る映像データを符号化処理する符号化方法は、上記映像データから、上記映像データの絵柄の難度及び上記映像データの符号化処理後のデータ量と相関性を有する統計量をピクチャ毎に算出する統計量算出ステップと、上記統計量算出ステップにより算出された上記統計量を用いて上記映像データの実難度データをピクチャ毎に近似した近似難度データをピクチャ毎に算出する近似難度データ算出ステップと、上記映像データを所定ピクチャ分遅延させる遅延ステップと、上記近似難度データ算出ステップにより算出された上記近似難度データと上記遅延ステップにより遅延された上記映像データの複数ピクチャ分の上記近似難度データとを利用して、上記遅延ステップより遅延された上記映像データを符号化処理する際に割り当てる目標符号量算出する目標符号量算出ステップと、上記目標符号量算出ステップにより算出された上記目標符号量となるように、上記遅延ステップより遅延された上記映像データをピクチャ毎に符号化処理する符号化ステップとを含む。
【手続補正１０】
【補正対象書類名】明細書
【補正対象項目名】００１１
【補正方法】変更
【補正の内容】
【００１１】
また本発明に係る映像データの符号化処理を制御する符号化制御装置は、上記映像データから、上記映像データの絵柄の難度及び上記映像データの符号化処理後のデータ量と相関性を有する統計量をピクチャ毎に算出する統計量算出手段と、上記統計量算出手段により算出された上記統計量を用いて上記映像データの実難度データをピクチャ毎に近似した近似難度データをピクチャ毎に算出する近似難度データ算出手段と、上記近似難度データ算出手段により算出された上記近似難度データと上記映像データを所定ピクチャ分遅延させる遅延手段により遅延された上記映像データの複数ピクチャ分の上記近似難度データとを利用して、上記遅延手段により遅延された上記映像データを符号化処理する際に割り当てる目標符号量算出手段と、上記目標符号量算出手段により算出された上記目標符号量となるように、上記遅延手段より遅延された上記映像データをピクチャ毎に符号化する符号化処理を制御する符号化制御手段とを備える。
【手続補正１１】
【補正対象書類名】明細書
【補正対象項目名】００１２
【補正方法】変更
【補正の内容】
【００１２】
好適には、ｊ，Ｌを正の整数、符号化対象ピクチャを前記映像データの第（ｊ）番目のピクチャとした場合に、上記遅延手段は、上記映像データをＬピクチャ分遅延させ、上記目標符号量算出手段は、第（ｊ）番目のピクチャの上記近似難度データと第（ｊ）番目のピクチャ〜第（ｊ＋Ｌ−１）番目のピクチャの上記近似難度データの総和との比率を利用して、上記符号化対象ピクチャの上記目標符号量を算出する。
より好適には、上記目標符号量算出手段は、次式（１）〜（３）を利用して、上記符号化対象ピクチャの上記目標符号量を算出する。
【数１】
2006136010.tif 000019
Ｔj：第ｊ番目のピクチャーを圧縮符号化して得られる圧縮映像データに割り当てる目標データ量
Ｒ´j：映像データの第ｊ番目〜第（ｊ＋Ｌ−１）番目のピクチャーに割り当てることができる目標データ量の平均
Ｄj：第ｊ番目のピクチャーの圧縮符号化後の実難度データ
【数２】
2006136010.tif 000020
Ｂｉｔ＿ｒａｔｅ：１秒あたりのデータ量
Ｐｉｃｔｕｒｅ＿ｒａｔｅ：映像データに含まれる１秒当たりのピクチャーの数
【数３】
2006136010.tif 000021
Ｓj：遅延映像データを圧縮符号化して得られた圧縮映像データの実際のデータ量
Ｆj+L：ピクチャー当たりの平均データ量
【手続補正１２】
【補正対象書類名】明細書
【補正対象項目名】００１３
【補正方法】変更
【補正の内容】
【００１３】
また好適には、Ｂ，ｊ，Ｌを正の整数、符号化対象ピクチャを前記映像データの第（ｊ）番目のピクチャとした場合に、上記遅延手段は、上記映像データをＬピクチャ分遅延させ、上記目標符号量算出手段は、第（ｊ）番目のピクチャの上記近似難度データと第（ｊ）番目のピクチャ〜第（ｊ＋Ｌ＋Ｂ−１）番目のピクチャの上記近似難度データの総和との比率を利用して、上記符号化対象ピクチャの上記目標符号量を算出する。
より好適には、上記目標符号量算出手段は、次式（２）〜（４）を利用して、上記符号化対象ピクチャの上記目標符号量を算出する。
【数２】
2006136010.tif 000022
Ｂｉｔ＿ｒａｔｅ：１秒あたりのデータ量
Ｐｉｃｔｕｒｅ＿ｒａｔｅ：映像データに含まれる１秒当たりのピクチャーの数
【数３】
2006136010.tif 000023
Ｒ´j：映像データの第ｊ番目〜第（ｊ＋Ｌ−１）番目のピクチャーに割り当てることができる目標データ量の平均
Ｓj：遅延映像データを圧縮符号化して得られた圧縮映像データの実際のデータ量
Ｆj+Lピクチャー当たりの平均データ量
【数４】
2006136010.tif 000024
Ｄj´：第ｊ番目のピクチャーの圧縮符号化後の予測難度データ
【手続補正１３】
【補正対象書類名】明細書
【補正対象項目名】００１４
【補正方法】変更
【補正の内容】
【００１４】
また好適には、上記近似難度データ算出手段は、上記統計量算出手段により算出された上記統計量の値を、上記統計量と上記映像データの実難度データとの相関関係から得られる所定の一次関数に代入することによって、上記近似難度データを算出する。
【手続補正１４】
【補正対象書類名】明細書
【補正対象項目名】００１５
【補正方法】変更
【補正の内容】
【００１５】
また好適には、上記統計量算出手段は、上記符号化手段がＩピクチャとして符号化処理する上記映像データのピクチャから、フラットネス又はイントラＡＣを上記統計量として算出する
より好適には、上記統計量算出手段は、上記符号化手段がＰピクチャ又はＢピクチャとして符号化処理する上記映像データのピクチャから、ＭＥ残差を前記統計量として算出する。
【手続補正１５】
【補正対象書類名】明細書
【補正対象項目名】００１６
【補正方法】変更
【補正の内容】
【００１６】
また本発明に係る映像データの符号化処理を制御する符号化制御方法は、上記映像データから、上記映像データの絵柄の難度及び上記映像データの符号化処理後のデータ量と相関性を有する統計量をピクチャ毎に算出する統計量算出ステップと、上記統計量算出ステップにより算出された上記統計量を用いて上記映像データの実難度データをピクチャ毎に近似した近似難度データをピクチャ毎に算出する近似難度データ算出ステップと、上記近似難度データ算出ステップにより算出された上記近似難度データと上記映像データを所定ピクチャ分遅延させる遅延手段により遅延された上記映像データの複数ピクチャ分の上記近似難度データとを利用して、上記遅延手段により遅延された上記映像データを符号化処理する際に割り当てる目標符号量算出ステップと、上記目標符号量算出ステップにより算出された上記目標符号量となるように、上記遅延手段より遅延された上記映像データをピクチャ毎に符号化する符号化処理を制御する符号化制御ステップとを含む。
【手続補正１６】
【補正対象書類名】明細書
【補正対象項目名】００１７
【補正方法】変更
【補正の内容】
【００１７】
以上説明したように、本発明に係る符号化装置、符号化方法、符号化制御装置および符号化制御方法によれば、２パスエンコードによらずに、所定のデータ量以下に音声・映像データを圧縮符号化することができる。
また、本発明に係る符号化装置、符号化方法、符号化制御装置および符号化制御方法によれば、ほぼ実時間的に映像データを圧縮符号化することができ、しかも、伸長復号後に高品質な映像を得ることができる。
また、本発明に係る符号化装置、符号化方法、符号化制御装置および符号化制御方法によれば、２パスエンコードによらずに、圧縮符号化後のデータ量を見積もって圧縮率を調節し、圧縮符号化処理を行うことができる。